(57)【要約】      （修正有）【課題】飲料を飲用すると同時に、お茶の香りに対する感受性を増すことができるお茶の香りを有するキャップを提供する。【解決手段】キャップ１００は開口部１１０と第１組込部１２０とを含む。開口部１１０の形状は、使用する容器２００の口部２１０形状に対応するように設けられる。第１組込部１２０は、キャップ１００の内壁上に設けられる。キャップは、お茶の香りを有するプラスチック粒子組成物と熱可塑性材料から射出圧縮成形される。【選択図】図１
0003210237.tif 000002
【実用新案登録請求の範囲】
【請求項１】
使用する容器の口部形状に対応する形状の開口部と、
キャップの内壁上に設けられた第１組込部と、を含むお茶の香りを有するキャップにおいて、
前記キャップは、お茶の香りを有するプラスチック粒子組成物と熱可塑性材料から射出圧縮成形されることを特徴とする、
お茶の香りを有するキャップ。
【請求項２】
前記お茶の香りを有するプラスチック粒子組成物は、お茶の香りの抽出工程から得られたお茶の香りを有する可溶性物質、不溶性物質或いはこれらの組み合わせを包括することを特徴とする請求項１に記載のお茶の香りを有するキャップ。
【請求項３】
前記容器の口部の外周面上に第２組込部を備え、前記第１組込部と前記第２組込部が対応するねじ構造とすることを特徴とする請求項１に記載のお茶の香りを有するキャップ。
【請求項４】
前記キャップは、前記キャップの内底面に設けられた密封部材を更に含むことを特徴とする請求項１に記載のお茶の香りを有するキャップ。
【請求項５】
前記密封部材は、突出リングで、前記突出リングが前記容器の口部方向に向かって突出し、また前記容器の口部の内径に対応するように設けられることを特徴とする請求項４に記載のお茶の香りを有するキャップ。
【請求項６】
前記密封部材は、前記キャップと一体成形することを特徴とする請求項５に記載のお茶の香りを有するキャップ。
【請求項７】
前記密封部材は、パッキンであることを特徴とする請求項４に記載のお茶の香りを有するキャップ。
【請求項８】
前記キャップの外壁上に滑り止め構造を設けることを特徴とする請求項１に記載のお茶の香りを有するキャップ。
【請求項９】
前記開口部と隣接するように設けられた盗難防止リングを更に含み、且つ前記盗難防止リングと前記キャップの間に複数の連結点を有することを特徴とする請求項１に記載のお茶の香りを有するキャップ。
【考案の詳細な説明】
【技術分野】
【０００１】
本考案は、キャップに関し、特に、お茶の香りを有するキャップに関する。
【背景技術】
【０００２】
現在市場において、飲料は主にハンドメイド飲料及びペットボトル詰飲料に分けることができる。通常消費者がペットボトル詰飲料を選択する理由は、容易に購買でき、持ち運びに便利である以外に、選択の多様性も主な原因の一つであり、特に、各種茶系飲料が更にこのうちの大部分を占めている。
茶系飲料が消費者から好まれる理由は、文化背景において、お茶飲料自体が国民に愛され、更にこれに加え近年の研究レポートでお茶の中に人体の健康に有益な成分があることが指摘されている。よって、茶系飲料が多岐にわたって発展してきたことに伴い、製品の包装も絶え間なく改良されることでお茶の香りに対する感受性を増すことが、飲料業者にとって一貫して非常に重要な課題となっていた。
【０００３】
よって、香り抽出技術を利用して、消費者のお茶の香りに対する感受性を増している。通常のお茶の香り抽出過程において、抽出物は可溶性物質と不溶性物質に大まかに分けることができる。
可溶性物質は、茶系飲料の製造プロセス内に運用することで、その中のお茶の香りを増すことができ、その運用可能な範囲は比較的制限を受けない。しかしながら、残った不溶性物質も濃厚なお茶の香りを有しているが、飲料内に添加することができず、結局大部分が食品加工廃棄物となるため、業者の廃棄物処理の負担が生じるだけでなく、容易に環境汚染の問題も起きてしまう。
【０００４】
また、ペットボトル詰飲料にとって、キャップは必要不可欠の存在であり、液体を容器内に密閉保存することを確保できる以外に、飲用者の持ち運びに便利であり、液体がこぼれる可能性がないように、開栓及び閉栓の動作を繰り返すこともできる。従来のキャップの設計は、大部分がカラー、構造について変化を加えるものであって、容器の中に充てんする内容物の種類と直接的な関連性がない。
【０００５】
以上から、本考案の考案者は、従来技術の欠陥について改良することで、産業上の利用可能性を増すため、お茶の香りを有するキャップを設計した。
【考案の概要】
【考案が解決しようとする課題】
【０００６】
上記の従来技術の問題点に鑑み、本考案は飲用者が飲料を飲用すると同時に、お茶の香りに対する感受性を増すことができる、お茶の香りを有するキャップを提供することを目的とする。
【課題を解決するための手段】
【０００７】
本考案の目的を達成するため、お茶の香りを有するキャップを提供し、該キャップは開口部と第１組込部とを含む。該開口部の形状は、使用する容器の口部形状に対応するように設けられ、第１組込部は、キャップの内壁上に設けられる。キャップは、お茶の香りを有するプラスチック粒子組成物と熱可塑性材料から射出圧縮成形される。
【０００８】
好ましくは、お茶の香りを有するプラスチック粒子組成物は、お茶の香りの抽出工程から得られたお茶の香りを有する可溶性物質、不溶性物質或いはこれらの組み合わせを包括できる。
【０００９】
好ましくは、容器の口部の外周面上に第２組込部を備え、第１組込部と第２組込部が対応するねじ構造とすることができる。
【００１０】
好ましくは、キャップはキャップの内底面に設けることができる密封部材を更に含む。
【００１１】
好ましくは、密封部材は中空の突出リングとすることができ、突出リングが容器の口部方向に向かって突出し、また容器の口部の内径に対応するように設けられる。
【００１２】
好ましくは、密封部材は、該キャップと一体成形できる。
【００１３】
好ましくは、密封部材は、パッキンとすることができる。
【００１４】
好ましくは、キャップの外壁上に滑り止め構造を設けることができる。
【００１５】
好ましくは、キャップは、開口部と隣接するように設けられた盗難防止リングを更に含みことができ、且つ盗難防止リングとキャップの間に複数の連結点を有する。
【考案の効果】
【００１６】
以上をまとめると、本考案に係るお茶の香りを有するキャップは、１つ或いは複数の下記の長所を有することができる。
【００１７】
（１）本考案に係るお茶の香りを有するキャップは、お茶の香りを有する可溶性物質、不溶性物質或いはこれらの組み合わせを包括するため、飲用者が飲料を飲用した時、お茶の香りに対する感受性を増すことができる。
【００１８】
（２）本考案に係るお茶の香りを有するキャップ内には、お茶の香りの抽出工程で得られた可溶性物質、不溶性物質或いはこれらの組み合わせという天然の香料を含有するため、形成される包装材料は食材レベルに適合して安全性を持つ。
【００１９】
（３）本考案に係るお茶の香りを有するキャップは、お茶の香りを有する不溶性物質或いは不溶性物質と可溶性物質との組み合わせを含有するプラスチック粒子組成物で製造できるため、食品加工廃棄物の利用率を高めることで、環境の汚染を減らすことができる。
【図面の簡単な説明】
【００２０】
【図１】本考案の実施例１に係るお茶の香りを有するキャップの断面図である。
【図２】本考案の実施例２に係るお茶の香りを有するキャップの断面図である。
【図３】本考案の実施例２に係るお茶の香りを有するキャップの立体図である。
【考案を実施するための形態】
【００２１】
本考案の技術的特徴、内容と利点及び奏することができる効果を理解するため、本考案について添付図面を踏まえ、実施例の表現形式で以下に詳細に説明する。使用する図面は、見取り及び説明補助用のみを目的とし、本考案実施後の実際の比例及び正確配置ではないため、添付する図面の比例及び配置関係について本考案の実際の実施上の権利範囲を解読、限定すべきではない。この点につき、予め説明しておく。
【００２２】
以下、関連の図面を参照して本考案に係るお茶の香りを有するキャップの実施例を説明する。理解のため、下記実施例内の同じ構成要素は、同じ符号表示で説明する。
【００２３】
図１は、本考案の実施例１に係るお茶の香りを有するキャップの断面図である。図に示すように、本考案に係るお茶の香りを有するキャップ１００は、開口部１１０と第１組込部１２０と密封部材１３０とを含む。開口部１１０の形状は、口部２１０を収容するため、容器２００の口部２１０形状と対応するよう設けられる。該容器２００は、好ましくはペットボトルとするが、これに限られるものではない。
本実施例において、第１組込部１２０は、該キャップの内壁上に設けられ、螺旋構造とすることができ、また容器２００の口部２１０の外周面上にある第２組込部２２０と対応の螺旋構造として形成し、この螺旋構造を通じて、キャップ１００を回転方式で開栓及び閉栓できる。密封部材１３０は、キャップ１００の内底面に設けられることができ、例えばキャップ１００と一体成形する突出リングとするが、これに限られるものではない。
突出リングは、キャップ１００の内底面から容器２００の口部２１０方向に向けて突出する環状を形成し、且つ該環状の寸法が容器２００の口部２１０の内径と対応し、これによりキャップ１００と容器２００が締め込まれた時、突出リングの外径と口部２１０の内径が互いに当接することで、容器２００内の液体がキャップ１００の内底面と口部２１０の間にある隙間からこぼれるのを効果的に防止できる。
【００２４】
ここで注目すべきは、キャップ１００が総重量に基づいて０．５〜２０重量％、好ましくは総重量に基づいて１〜１０重量％のお茶の香りを有するプラスチック粒子組成物及び総重量に基づいて０．５〜１０重量％、好ましくは総重量に基づいて１〜５重量％の熱可塑性材料、例えばポリエチレン（ＰＥ）を成形機、例えば圧縮成形機により、バレル温度を常温、金型温度を２０℃、成形圧力を５０ｂａｒ〜１５０ｂａｒの条件下で射出圧縮成形することで、キャップ１００が得られる点である。
これ以外に、熱可塑性材料はオレフィン類から選択でき、オレフィン類は例えばポリエチレン（ＰＥ）、ポリプロピレン（ＰＰ）等とすることができるが、これに限られるものではなく、製造しようとするキャップの特性によって選択できる。
【００２５】
また、お茶の香りを有するプラスチック粒子組成物は、水抽出法で抽出した後もやはり大量のお茶の香りを有する茶殻をお茶の香り抽出工程、例えば超臨界抽出法で抽出し、お茶の香りを有する可溶性物質及び不溶性物質が得られる。次に、お茶の香りを有する可溶性物質、不溶性物質或いはこれらの組み合わせを熱可塑性材料と造粒を行って形成されたものである。
上記方法を介して形成されたお茶の香りを有するプラスチック粒子組成物は、総重量に基づいて０．５〜２０重量％、好ましくは総重量に基づいて１〜１０重量％のお茶の香りを有する物質を含有する。通常、上記工程内で得られたお茶の香りを有する可溶性物質は、茶系飲料内に添加されることができ、不溶性物質が食品加工の廃棄物となる。ただし、本考案のキャップはお茶の香りを有する不溶性物質或いは不溶性物質と可溶性物質との組み合わせを含有するプラスチック粒子組成物で製造できるため、廃棄物の利用率を高めることができ、環境汚染を減らすことができるだけでなく、廃棄物の処理コストを削減することもできる。
【００２６】
本実施例において、キャップ１００内には、お茶の香りを有する可溶性物質、不溶性物質或いはこれらの組み合わせを含有するため、自然のお茶の香りを発散できる。これを介して、茶系飲料をこのキャップ１００を具えた容器２００に充てんした時、飲用者のお茶の香りに対する感受性を増すことができるが、茶湯の口当たりに影響を及ぼさない。
これ以外に、キャップ１００が比較的高温の環境に置かれると、より濃厚なお茶の香りを発散することができるため、消費者に対するアピール力も増すことができる。
【００２７】
このほか、お茶の香りを有する不溶性物質は、合成香料からなるのではなく、茶殻からなるため、製造されたキャップは素材試験及び溶出試験において、いずれも法規に適合すると共に従来のキャップと比べても明らかに違いがなく、よって食品包装材料とすることができ、安全性に適合する。
【００２８】
図２及び図３は、本考案に係る実施例２のお茶の香りを有するキャップの断面図及び立体図である。本実施例のキャップによれば、図に示されるように、各構成要素の構造及び構成は、いずれも前記実施例と類似しているが、その類似する箇所は、ここでその説明を省略する。
本実施例と前記実施例の主な相違点は、密封部材１３０がパッキンで、且つキャップ１００が滑り止め構造１４０と盗難防止リング１５０を更に含むことである。
【００２９】
図に示すように、本考案に係るお茶の香りを有するキャップ１００において、密封部材１３０は、パッキンであり、発泡ポリエチレンパッキンとするが、これに限られるものではなく、発泡ポリエチレンパッキンをキャップ１００に嵌め込んで内底面全体を覆う。容器２００とキャップ１００が締め込まれた時、発泡ポリエチレンパッキンンが容器２００の口部２１０に密着することで、良好な密閉性に達する以外に、更に遮断性を持ち、容器２００に充てんした内容物が変質等を発生させにくい。
【００３０】
また、キャップ１００は、滑り止め構造１４０と盗難防止リング１５０とを更に含む。滑り止め構造１４０がキャップ１００の外壁上に設けられ、且つキャップ１００の回転方向と垂直になる溝模様を形成することで、飲用者がキャップ１００を閉栓又は開栓した時、手とキャップ１００の間の摩擦力が増加して簡単にキャップ１００を回すことができる。
盗難防止リング１５０は、キャップ１００の開口部１１０の下縁と隣接するよう設けられ、且つ盗難防止リング１５０とキャップ１００の間に複数の連結点１５１を有する。キャップ１００を容器２００の口部２１０に締め込んだ時、盗難防止リング１５０は口部２１０外周面の底部上に嵌合され、キャップに対して回そうと力をかけると、複数の連結点１５１が切れ、且つ二度と連結できず、盗難防止リング１５０をキャップ１００と分離させ、よってキャップ１００が開栓したことがあるかを識別する効果を奏することができる。
【００３１】
ここで留意すべき点は、前記実施例において、各構成要素の組み合わせ態様は、実際の設計或いは運用を見て変更でき、例えばキャップは突出リングと滑り止め構造と盗難防止リングを同時に含むことができ、よって前記実施例の配置方式に限定されるべきではない点である。
【００３２】
以上、実施例を挙げて種々説明したが、これに限定されるものではなく、本考案の精神及び範囲から離れることなく、種々の改良変更をなし得え、これは、添付されている実用新案登録請求の範囲に含まれる。
【符号の説明】
【００３３】
１００  キャップ
１１０  開口部
１２０  第１組込部
１３０  密封部材
１４０  滑り止め構造
１５０  盗難防止リング
１５１  連結点
２００  容器
２１０  口部
２２０  第２組込部
【図１】
0003210237.tif 000003
【図２】
0003210237.tif 000004
【図３】
0003210237.tif 000005